(57)【要約】【課題】建物のコンクリート躯体の外壁面上に断熱材層を設け、さらにその上に外装仕上げパネルを設置する外断熱壁構造において、大規模修繕又は外装仕上げパネルを部分交換する際の、足場設置時のアンカーの取付けを容易に行なうことができ、パネル自体の部分交換も容易にできる外断熱壁構造を提供する。【解決手段】階層境に合わせて、外装仕上げパネル１間に目地８を形成し、この目地８に、コンクリート躯体６に足場設置用のアンカー控えとして埋設するアンカー雌ボルト９の先端を臨ませ、その上にバックアップ１２材、および目地コーキング材１３が配設されるようにする。【選択図】      図１
2005002747.tif 000002
【特許請求の範囲】
【請求項１】
建物のコンクリート躯体の外壁面上に断熱材層を設け、さらにその上に外装仕上げパネルを設置する外断熱壁構造において、
階層境に合わせて外装仕上げパネル間に目地を形成し、
この目地に、コンクリート躯体に足場設置用のアンカー控えとして埋設するアンカー雌ボルトの先端を臨ませ、
その上にバックアップ材、および目地コーキング材が配設されるようにしたこと
を特徴とする外断熱壁構造。
【請求項２】
前記外装仕上げパネルは、
角部が相互に近接する上下、左右の外装仕上げパネルが各々独立して取り外し可能なように止め金具をもって固定することを特徴とする
請求項１に記載の外断熱壁構造。
【請求項３】
前記目地には、
帯板状バックアップ材を配設し、このバックアップ材には、アンカー雌ボルトの先端に対応する透孔を形成したことを特徴とする
請求項１又は２に記載の外断熱壁構造。
【発明の詳細な説明】
【０００１】
【発明の属する技術分野】
この発明は、マンション等において、一般的な外断熱工法における外断熱壁構造である。
【０００２】
【従来の技術】
建物外壁の断熱施工方法としては、建物外壁の内側に断熱材層を取付ける内断熱施工方法が主流をなして普及されてきたが、建物外壁の構造躯体面が外気にさらされることにより、熱応力や凍害などによるひび割れ、損傷や熱冷却による断熱効果の低下など多くの問題点がある。
【０００３】
そこで、断熱材層を外壁の外側に取付ける外断工法が開発され、断熱材層を外気側に設けた場合は、雨水や日射、風雪といったものに表面が晒され、耐候性能の面で無理がでるため、断熱材層の外気側に外装仕上げパネルを取付ける。
【０００４】
下記特許文献もその１つであり、これはコンリ−ト構造躯体に外装パネルの取付け金具を直接取付けなくても、容易に外装パネルの取付けができ、外装パネルと断熱材層との間に外気流通空気層を形成できるものである。
【０００５】
【特許文献１】
特開平９−２２８５０３号公報（建物外壁の乾式外断熱施工方法）
【０００６】
この特許文献１では、図５に示すように、建物のコンクリート躯体６の外壁面と、この外壁面に方形の枠状に取付けられた胴縁４とで区画された内部に、断熱材層３を形成し、この胴縁４に、所定間隔で掛止突部を有する取付け金具２を固定し、前記取付け金具２に外装仕上げパネル１を列設して、外装仕上げパネル１と前記断熱材層３との間に外気流通空気層を形成させる。
【０００７】
なお、外装仕上げパネル１には、セメント系の無機質板が多く使用されているが、地下パネルにタイルを列設することにより、タイル張りの建物外壁としている。
【０００８】
この外装仕上げパネル１は、列設される際には、図６に示すように、上に位置するパネルの下端が、下に位置するパネルの上端に重なるような、いわゆる「さね」として並べられる。この図６の場合は、胴縁４は釘５で固定しているが、アンカーボルト等の場合もある。
【０００９】
【発明が解決しようとする課題】
外装仕上げパネル１や断熱材を補修したり、取替えたりする場合には足場を必用とし、枠組み足場の設置では建物のコンクリート躯体からつなぎを取ることになる。しかしながら、従来での内断工法では、コンクリート躯体である外壁コンクリートの上に直、仕上げタイルが張られるので、繋ぎのアンカーボルトを容易にコンクリート躯体に結着できるが、前記図５、図６に示すような外断熱工法では、断熱材層３や外気流通空気層の存在がアンカーボルトの打ち込みを困難にしている。
【００１０】
また、図６に示されているが、サイディング等に見られるように外装仕上げパネルは「さね」構造であり、下から上へと張り上げて行く為、中間部の交換または部分交換が困難で、それも前記アンカーボルトの設置を難しくしている。
【００１１】
この発明はかかる現状に鑑み、前記した従来例の不都合を解消し、建物のコンクリート躯体の外壁面上に断熱材層を設け、さらにその上に外装仕上げパネルを設置する外断熱壁構造において、大規模修繕、または、外装仕上げパネルを部分交換する際の、足場の設置時のアンカーの取付けを容易に行なうことができ、また、パネル自体の部分交換も安価にできる外断熱壁構造を提供することを目的としたものである。
【００１２】
【課題を解決するための手段】
前記目的を達成するため、請求項１に記載のこの発明は、
階層境に合わせて外装仕上げパネル間に目地を形成し、この目地に、コンクリート躯体に足場設置用のアンカー控えとして埋設するアンカー雌ボルトの先端を臨ませ、その上にバックアップ材、および目地コーキング材が配設されるようにしたこと
を要旨とするものである。
【００１３】
請求項１に記載のこの発明によれば、階層毎に、あらかじめコンクリート躯体に、足場設置用のアンカー控えとして埋設するアンカー雌ボルトの先端が外装仕上げパネル間に形成した目地の内部に位置しており、この目地における目地コーキング材やバックアップ材を除去すれば、容易にアンカー雌ボルトの先端を顕出させて、ここに足場繋ぎ用のアンカーボルトを螺合することができる。
【００１４】
また、外装仕上げパネルは、このアンカー雌ボルトの先端を臨む建物の階層境では、目地により相互に離れているので、切り離しが可能である。
【００１５】
その結果、足場設置時におけるアンカーの固定を容易にし、維持管理の効率アップと、外装仕上げパネルの交換が必要なときに階層ごとに切り離しができ、実を切らず、防水性能を落とさず施工が可能である。
【００１６】
また、請求項２に記載のこの発明は、
外装仕上げパネルは、角部が相互に近接する上下、左右の外装仕上げパネルが各々独立して取り外し可能なように止め金具をもって固定すること
を特徴とするものである。
【００１７】
さらに、請求項２記載のこの発明によれば、外装仕上げパネルは、角部が相互に近接する上下、左右の外装仕上げパネルが各々独立して取り外し可能なように止め金具をもって固定することで、外装仕上げパネル間の目地の形成が簡単かつ確実に行なえるとともに、外装仕上げパネル相互の切り離しも確実に行なうことができる。
【００１８】
また、請求項３に記載のこの発明は、目地には、帯板状バックアップ材を配設し、このバックアップ材にはアンカー雌ボルトの先端に対応する透孔を形成すること
を特徴とするものである。
【００１９】
さらに、請求項３に記載のこの発明によれば、バックアップ材は、帯板状としたことで連続させた状態の設置が楽に行なえ、外装仕上げパネルの止め金具間にもこれを簡単に連続配置できる。しかも、アンカー雌ボルトの先端に対応する透孔を形成することで、アンカー雌ボルトの使用が、このバックアップ材を取り除かなくても可能となる。
【００２０】
【発明の実施の形態】
以下、図面について、この発明にかかる外断熱壁構造における実施の形態を詳細に説明する。図１はこの発明の外断熱壁構造の一実施形態を示す縦断側面図、図３は同上斜視図で、前記従来例を示す図５、図６と同じく、図中６は鉄筋コンクリート建物のコンクリート躯体、３はその外壁面上に設ける断熱材層、１はさらにその上に設置する外装仕上げパネルを示し、また、断熱材層３と外装仕上げパネル１間には外気流通空気層７が確保される。
【００２１】
前記断熱材層３は、これを形成する断熱材の種類としては、グラスウール、ロックウール等の繊維系のもの、例えば硬質ポリウレタンフォーム、ウレタン変性ポリイソシアヌレートフォーム、ポリイソシアヌレトフォーム、フェノールフォーム、ポリスチレンフォーム等が硬質合成樹脂系のものなど特に限定はなく、さらに、硬質合成樹脂系の断熱材は注入して発泡固化させるものやボードとして成形されたものなどである。
【００２２】
この断熱材層３は、コンクリート躯体６の外壁面に、角型木材あるいは軽量Ｃ型鋼よりなる胴縁４を、所定間隔でコンクリート釘あるいはアンカーボルト等のボルトで固定し、外壁面と方形の枠状に組まれた胴縁４とで区画された内部に配設する。
【００２３】
この発明は、１階と２階の境、２階と３階の境界（各階スラブ位置）など階層の境に合わせて、外装仕上げパネル１相互間を離間させて、１５〜２０ｍｍ程度の目地８を形成するものとし、この目地８にコンクリート躯体６に埋設するアンカー雌ボルト９の先端を臨ませた。このアンカー雌ボルト９は足場設置用のアンカー控えとなるもので、例えば１間（１８００ｍｍ）ピッチで並ぶ。
【００２４】
図２に示すように、前記外装仕上げパネル１は、角部が相互に近接する上下、左右の外装仕上げパネル１が、各々独立して取り外し可能なように止め金具１０ａ，１０ｂをもって固定する。
【００２５】
図４にも示すように、これら止め金具１０ａ，１０ｂは鉤型のフックで、矩形板体のステー１１に、上向きフックの止め金具１０ａ，１０ａを左右に並べ、下向きフックの止め金具１０ｂ，１０ｂを左右に並べ、かつ、これら止め金具１０ａ，１０ａと止め金具１０ｂ，１０ｂの間隔は前記目地８分の幅を存して並べる。
【００２６】
図示の例では、ステー１１と止め金具１０ａ，１０ｂはそれぞれ胴縁４に釘止めするものとしたが、あらかじめ止め金具１０ａ，１０ｂを溶接等で固定したステー１１を胴縁４に釘止めすることもできる。止め金具１０ａ，１０ｂを切り起し等でステー１１に一体的に形成してもよい。
【００２７】
このようにして、止め金具１０ａで上に位置する外装仕上げパネル１の下端を係止し、止め金具１０ｂで下に位置する外装仕上げパネル１の上端を係止して前記目地８を形成する。
【００２８】
なお、階層の境以外では、図１に示すように、通常の配列として上下の外装仕上げパネル１同士は「さね」構造Ａを持って重ね合わせ、防水性を確保する。
【００２９】
図４中、１２は合成樹脂等による帯板状のバックアップ材で、両縁にフランジ１２ｂを形成してチャンネルタイプとしたもので、適宜の長さに切断して使用するものであるが、端部近くに、前記アンカー雌ボルト９の先端に対応する透孔１２ａが形成されている。
【００３０】
前記アンカー雌ボルト９の先端が顕出する目地８では、バックアップ材１２が配設され、さらに、その上にゴム系シール剤による目地コーキング材１３を配設して止封する。
【００３１】
大規模修繕の際には、目地コーキング材を一部除去して、透孔１２ａを介して容易にアンカー雌ボルト９の先端を顕出させて、ここに足場繋ぎ用のアンカーボルトを螺合することができる。
【００３２】
また、外装仕上げパネル１は、角部が相互に近接する上下、左右の外装仕上げパネルが各々独立して切り離しが可能で、実を切らず、防水性能を落とさず施工が可能である。
【００３３】
【発明の効果】
この発明の外断熱壁構造は、建物のコンクリート躯体の外壁面上に断熱材層を設け、さらにその上に外装仕上げパネルを設置する外断熱壁構造において、大規模修繕、または、外装仕上げパネルを部分交換する際の、足場設置時のアンカーの取付けを容易に行なうことができ、また、パネル自体の部分交換も安価にできるものである。
【図面の簡単な説明】
【図１】この発明の外断熱壁構造の一実施形態を示す縦断側面図である。
【図２】この発明の外断熱壁構造の一実施形態を示す止め金具部分の縦断側面図である。
【図３】この発明の外断熱壁構造の一実施形態を示す一部切欠いた斜視図である。
【図４】この発明で使用する止め金具の斜視図である。
【図５】従来例を示す一部切欠いた斜視図である。
【図６】従来例を示す縦断側面である。
【符号の説明】
１          外装仕上げパネル
２          取付け金具
３          断熱材層
４          胴縁
５          釘
６          コンクリート躯体
７          外気流通空気層
８          目地
９          アンカー雌ボルト
１０ａ，１０ｂ  止め金具
１１        ステー
１２        バックアップ材
１２ａ      透孔
１２ｂ      フランジ
１３        目地コーキング
【図１】
2005002747.tif 000003
【図２】
2005002747.tif 000004
【図３】
2005002747.tif 000005
【図４】
2005002747.tif 000006
【図５】
2005002747.tif 000007
【図６】
2005002747.tif 000008